(57)【要約】【課題】フレーム同期検出時間の短縮化を図る。【解決手段】同期ワードと、Ｎフレーム毎に“１”から“０”に若しくは“０”から“１”に交番する規則性に従う１ビットの交番ビットとを有したフレーム構成に基づくデジタルストリーム信号を受信してフレーム同期を検出するフレーム同期検出装置において、受信した前記デジタルストリーム信号から１フレーム毎の前記同期ワードを検出する同期ワード検出部と、前記同期ワード検出部における前記同期ワードの検出により識別された１フレーム毎に含まれる前記交番ビットを抽出する交番ビット抽出部と、前記交番ビット抽出部により抽出される１ビットの前記交番ビットをＮ＋１フレーム分に相当するＮ＋１ビット格納する交番ビット格納部と、前記交番ビット格納部に格納されたＮ＋１ビットの前記交番ビットが前記規則性に従うことを判定した場合に、受信した前記デジタルストリーム信号のフレーム同期を検出したことを示すフラグを出力する交番ビット判定部と、を有する。【選択図】図３
2008283550.tif 000002
【特許請求の範囲】
【請求項１】
同期ワードと、Ｎフレーム毎に“１”から“０”に若しくは“０”から“１”に交番する規則性に従う１ビットの交番ビットとを有したフレーム構成に基づくデジタルストリーム信号を受信してフレーム同期を検出するフレーム同期検出装置において、
受信した前記デジタルストリーム信号から１フレーム毎の前記同期ワードを検出する同期ワード検出部と、
前記同期ワード検出部における前記同期ワードの検出により識別された１フレーム毎に含まれる前記交番ビットを抽出する交番ビット抽出部と、
前記交番ビット抽出部により抽出される１ビットの前記交番ビットをＮ＋１フレーム分に相当するＮ＋１ビット格納する交番ビット格納部と、
前記交番ビット格納部に格納されたＮ＋１ビットの前記交番ビットが前記規則性に従うことを判定した場合に、受信した前記デジタルストリーム信号のフレーム同期を検出したことを示すフラグを出力する交番ビット判定部と、
を有することを特徴とするフレーム同期検出装置。
【請求項２】
請求項１に記載のフレーム同期検出装置において、
前記交番ビット格納部に格納されるＮ＋１ビットの前記交番ビットが成り得る２Ｎ個のビットパターンを格納するメモリを有し、
前記交番ビット判定部は、
前記交番ビット格納部に格納されるＮ＋１ビットの前記交番ビットのビットパターンが、前記メモリに格納された２Ｎ個のビットパターンのうちいずれかと照合したとき、前記交番ビットが前記規則性に従うことを判定すること、
を特徴とするフレーム同期検出装置。
【請求項３】
請求項１に記載のフレーム同期検出装置において、
前記交番ビット判定部は、前記交番ビット格納部に格納されたＮ＋１ビットの前記交番ビットが前記規則性に従うことを予め定めておいた複数回判定した場合に、前記フラグを出力すること、を特徴とするフレーム同期検出装置。
【請求項４】
請求項１に記載のフレーム同期検出装置において、
前記交番ビット格納部は、Ｎ＋１ビットのシフトレジスタであり、
前記交番ビット判定部は、前記交番ビット格納部に格納されたＮ＋１ビットの前記交番ビットが前記規則性に従うことを１回判定した後、
前記交番ビット抽出部により抽出された前記交番ビットを前記シフトレジスタの最後尾ビットに格納し、
前記シフトレジスタの最後尾ビットの値が、前記シフトレジスタの先頭ビットを反転した値と一致するか否かを判定し、
前記最後尾ビットの値が前記先頭ビットを反転した値と一致した場合に、前記フラグを出力すること、
を特徴とするフレーム同期検出装置。
【請求項５】
請求項１に記載のフレーム同期検出装置において、
前記１フレームは、前記同期ワードと、前記交番ビットを含む制御ビットと、付加データと、音声データと、により構成されるＮＩＣＡＭ７２８規格に従ったフレームであること、を特徴とするフレーム同期検出装置。
【請求項６】
同期ワードと、Ｎフレーム毎に“１”から“０”に若しくは“０”から“１”に交番する規則性に従う１ビットの交番ビットと、を有したフレーム構成に基づくデジタルストリーム信号を受信してフレーム同期を検出するフレーム同期検出方法において、
受信した前記デジタルストリーム信号から１フレーム毎の前記同期ワードを検出し、
前記同期ワードの検出により識別した１フレーム毎に含まれる前記交番ビットを抽出し、
抽出した１ビットの前記交番ビットをＮ＋１フレーム分に相当するＮ＋１ビット分格納し、
格納したＮ＋１ビットの前記交番ビットが前記規則性に従うことを判定した場合に、受信した前記デジタルストリーム信号のフレーム同期を検出したことを示すフラグを出力する、
ことを特徴とするフレーム同期検出方法。
【発明の詳細な説明】
【技術分野】
【０００１】
本発明は、フレーム同期検出装置、フレーム同期検出方法に関する。
【背景技術】
【０００２】
音声多重方式とは、一つの放送チャネルに複数の音声を多重する方式のことである。例えば、左右２チャンネルのステレオ放送や、主音声と副音声による二カ国語放送等において採用される方式である。かかる音声多重方式の規格の一つとして、イギリス、フランス等の欧州のテレビ放送向けのＮＩＣＡＭ（Nearly Instantaneous Compandable Audio Matrix）７２８規格が知られている(例えば、以下に示す非特許文献１を参照)。
【０００３】
図６（ａ）は、ＮＩＣＡＭ７２８規格のステレオ音声の場合の１フレーム構成を示した図であり、図６（ｂ）は、ＮＩＣＡＭ７２８規格のモノラル音声の場合の１フレーム構成を示した図である。尚、ＮＩＣＡＭ７２８規格では、複数の音声信号を伝送する１フレームのビットレートは７２８ビット／秒となる。即ち、１フレームのビット数は、７２８ビットである。
【０００４】
図６（ａ）に示すステレオ音声の場合の１フレームは、先頭から、８ビットのフレーム・アライメント・ワードＦＡＷ（フレーム同期ワード）と、５ビットのコントロールビットＣと、１１ビットの付加データＡＤと、７０４ビットのＡチャネル及びＢチャネルの音声データから成る。尚、コントロールビットＣは、１ビットのフレーム・フラグ・ビットＣ０、３ビットのアプリケーション制御ビットＣ１〜Ｃ３、及び１ビットのリザーブ音声・スイッチング・フラグＣ４から成る。
【０００５】
図６（ｂ）に示すモノラル音声の場合の１フレームは、１１ビットの付加データＡＤの後が７０４ビットのモノラルの音声データとなる以外、上記のステレオ音声の場合の１フレームと同様のフレーム構成となる。
【０００６】
フレーム・アライメント・ワードＦＡＷは、１フレームの先頭に位置する１ワード（８ビット）であり、「０１００１１１０」に設定される。フレーム・アライメント・ワードＦＡＷは、ＮＩＣＡＭ７２８規格対応のデコーダ（以下、ＮＩＣＡＭデコーダ３００と呼ぶ。）が、音声多重ストリームとして伝送されるデジタル多重音声データに対して、１フレームの先頭位置を識別してフレーム同期を検出するために用いられる。
【０００７】
フレーム・フラグ・ビットＣ０は、フレーム・アライメント・ワードＦＡＷを用いたフレーム同期検出を補完する目的で用いられる。即ち、フレーム・アライメント・ワードＦＡＷとして設定されるビットパターン「０１００１１１０」は、１フレーム中（例えば７０４ビットの音声データ中）に同一のビットパターンが出現する可能性がある。このため、フレーム・アライメント・ワードＦＡＷを用いたフレーム同期検出が誤って行われるおそれがある。そこで、ＮＩＣＡＭデコーダ３００は、フレーム・アライメント・ワードＦＡＷを用いたフレーム同期検出と併せて、フレーム・フラグ・ビットＣ０を用いてＮＩＣＡＭ７２８規格に準拠した１フレームであるか否かの判定を行う。
【０００８】
フレーム・フラグ・ビットＣ０は、１６フレームを１周期として、８フレーム毎に“１”から“０”に若しくは“０”から“１”に交番する。従って、ＮＩＣＡＭデコーダ３００は、フレーム・アライメント・ワードＦＡＷがそれぞれ検出された１６フレームを取得した後、その取得した１６フレーム分のフレーム・フラグ・ビットＣ０のビットパターンが上記の規則性に従うか否かを識別する。
【０００９】
１６フレーム分のフレーム・フラグ・ビットＣ０のビットパターンが上記の規則性に従うことが識別された場合には、取得した１６フレームは、ＮＩＣＡＭ７２８規格に従った１６フレーム分のデータであると判定される。これにより、フレーム・フラグ・ビットＣ０によってフレーム同期が改めて検出されたことになり、ＮＩＣＡＭデコーダ３００は、フレーム同期検出後の所定のデコード処理を開始可能な状態となる。
【非特許文献１】エー・ジェイ・バウワー（A.J.Bower,M.A.,Ph.D.）、“研究部レポート  ＮＩＣＡＭ７２８−地上波テレビ向けデジタル２チャンネルサウンド（Research Department Report NICAM728-DIGITAL TWO-CHANNEL SOUND FOR TERRESTRIAL TELEVISION）”、[online]、1990年6月10日、英国放送協会（THE BRITISH BROADCASTING CORPORATION）、[平成19年5月11日検索]、インターネット（URL: http://downloads.bbc.co.uk/rd/pubs/reports/1990-06.pdf）
【発明の開示】
【発明が解決しようとする課題】
【００１０】
ところで、フレーム・フラグ・ビットＣ０を用いたフレーム同期検出は、１６フレームを取得した上で行う必要がある。このため、かかるフレーム同期検出を行うために、最低限１６フレームを取得するまでの時間が必要となる。また、取得した１６フレームが、ＮＩＣＡＭ７２８規格に準拠したフレームではないと判定された場合、ＮＩＣＡＭデコーダ３００は、再度、１６フレームを取得して、フレーム・アライメント・ワードＦＡＷを用いたフレーム同期検出を行うとともに、フレーム・フラグ・ビットＣ０を用いたフレーム同期検出を行う必要がある。このように、従来のフレーム同期検出の場合、フレーム同期検出時間が長く、所定のデコード処理の開始を長引かせるという課題があった。
【課題を解決するための手段】
【００１１】
前述した課題を解決するための主たる本発明は、同期ワードと、Ｎフレーム毎に“１”から“０”に若しくは“０”から“１”に交番する規則性に従う１ビットの交番ビットとを有したフレーム構成に基づくデジタルストリーム信号を受信してフレーム同期を検出するフレーム同期検出装置において、受信した前記デジタルストリーム信号から１フレーム毎の前記同期ワードを検出する同期ワード検出部と、前記同期ワード検出部における前記同期ワードの検出により識別された１フレーム毎に含まれる前記交番ビットを抽出する交番ビット抽出部と、前記交番ビット抽出部により抽出される１ビットの前記交番ビットをＮ＋１フレーム分に相当するＮ＋１ビット格納する交番ビット格納部と、前記交番ビット格納部に格納されたＮ＋１ビットの前記交番ビットが前記規則性に従うことを判定した場合に、受信した前記デジタルストリーム信号のフレーム同期を検出したことを示すフラグを出力する交番ビット判定部と、を有することとする。
【発明の効果】
【００１２】
本発明によれば、フレーム同期検出時間の短縮化を図ることが可能なフレーム同期検出装置並びにフレーム同期検出方法を提供することができる。
【発明を実施するための最良の形態】
【００１３】
＜＜＜音声多重テレビ放送受信装置の構成＞＞＞
図２、図６（ａ）、（ｂ）を参照しつつ、図１を用いて、ＮＩＣＡＭ７２８規格に準拠した音声多重テレビ放送信号を受信して音声多重のテレビ番組の再生を行う音声多重テレビ放送受信装置について説明する。
【００１４】
ＮＩＣＡＭ７２８規格に準拠した音声多重テレビ放送信号は、例えば、映像信号並びに第１の音声信号用搬送波信号がアナログ音声信号に基づいて周波数変調されて得られるＦＭ音声信号（主音声）と、第２の音声信号用搬送波信号がデジタル多重音声データに基づいて４相位相変調されて得られるＱＰＳＫ音声信号（副音声）とを合成した信号によって、映像搬送波信号が多重変調されて成る信号である。尚、主音声は、ＦＭ音声信号の代わりにＡＭ音声信号となる場合がある。また、副音声は、ＱＰＳＫ音声信号の代わりに、その他のデジタル変調方式（ＢＰＳＫ（Binary Phase Shift Keying）、ＭＳＫ(Minimum Shift Keying)、ＯＦＤＭ(Orthogonal Frequency Division Multiplexing)等）に基づいたデジタル変調音声信号となる場合がある。
【００１５】
デジタル音声データに係る１フレームは、図６（ａ）又は図６（ｂ）に示したフレーム構成となる。即ち、フレーム・アライメント・ワードＦＡＷ（本発明に係る「同期ワード」）に後続するフレーム・フラグ・ビットＣ０（本発明に係る「交番ビット」）は、１６フレームを１周期として、８フレーム毎に“１”から“０”に若しくは“０”から“１”に交番する規則性に従うように規定される。尚、図６（ａ）又は図６（ｂ）に示したフレーム構成に係るその他の事項は、背景技術において説明した内容と同様である。
【００１６】
音声多重テレビ放送受信装置は、チューナ２０、映像復調ユニット１００、ＦＭ復調ユニット２００、ＮＩＣＡＭデコーダ３００、そして、受信装置全体の制御を司るマイコン４００によって構成される。
【００１７】
アンテナ１０で受信された音声多重テレビ放送信号は、チューナ２０で選局された後、映像復調ユニット１００のＶＩＦ（ビデオ中間周波数）用表面波フィルタと、ＦＭ復調ユニット２００のＳＩＦ（サウンド中間周波数）用表面波フィルタにそれぞれ供給される。
【００１８】
映像復調ユニット１００は、ＶＩＦ用表面波フィルタ１１０、映像検波回路１２０、映像信号処理回路１３０を含む。ＶＩＦ用表面波フィルタ１１０は、チューナ２０で選局された音声多重テレビ放送信号の中から映像信号成分を抽出して映像検波回路１２０に出力する。これにより、映像検波回路１２０は、抽出された映像信号成分を検波することによりＶＩＦ信号を得る。映像信号処理回路１３０は、ＶＩＦ信号に対してＹＣ分離等といった所定の映像信号処理を行うことで映像信号を得て所定の表示装置に供給する。
【００１９】
ＦＭ復調ユニット２００は、ＳＩＦ用表面波フィルタ２１０、ＳＩＦ検波回路２２０、ＦＭ検波回路２３０を含む。ＳＩＦ用表面波フィルタ２１０は、チューナ２０で選局された音声多重テレビ放送信号の中からＦＭ信号成分とＱＰＳＫ信号成分とからなる音声信号成分を抽出してＳＩＦ検波回路２２０に出力する。これにより、ＳＩＦ検波回路２２０は抽出された音声信号成分を検波することによってＦＭ信号成分とＱＰＳＫ信号成分とからなるＳＩＦ信号を得てＦＭ検波回路２３０並びにＮＩＣＡＭデコーダ３００に供給する。これにより、ＦＭ検波回路２３０は、抽出されたＳＩＦ信号のうちＦＭ信号成分を検波することでＦＭ音声信号を得て所定のスピーカへ供給する。
【００２０】
ＮＩＣＡＭデコーダ３００は、ＢＰＦ３１０（Band Pass Filter）、ＱＰＳＫ復調回路３２０、ＰＣＭデコーダ３３０、ＤＡＣ３４０(Digital Analog Converter)により主に構成される。ＢＰＦ３１０は、抽出されたＳＩＦ信号のうちＱＰＳＫ信号成分を通過させる。ＱＰＳＫ復調回路３２０は、ＱＰＳＫ信号成分を復調して、元のデジタル多重音声データに対応した音声多重ストリームＳ（本発明に係る「デジタルストリーム信号」）を出力する。尚、音声多重ストリームＳは、図６（ａ）又は図６（ｂ）に示したフレーム構成となる。ＰＣＭデコーダ３３０は、音声多重ストリームＳをＰＣＭ復調してＰＣＭ音声データを得る。ＤＡＣ３４０は、ＰＣＭ音声データをＤＡ変換して所定のスピーカへ供給する。
【００２１】
尚、ＰＣＭデコーダ３３０は、具体的には、図２に示す構成となる。ＰＣＭデコーダ３３０は、フレーム・アライメント・ワードＦＡＷを検出するＦＡＷ検出部３３１（本発明に係る「同期ワード検出部」）、フレーム判定を行うフレーム判定部３３２、デスクランブル処理を行うデスクランブル部３３３、デインタリーブ処理を行うデインタリーブ部３３４、誤り検出処理を行う誤り検出部３３５、データ伸長処理を行う伸長部３３６、データ補間処理を行う補間部３３７、を含む。
【００２２】
ＦＡＷ検出部３３１は、ＱＰＳＫ復調回路３２０から供給された音声多重ストリームＳに含まれる１フレーム（７２８ビット）中のフレーム・アライメント・ワードＦＡＷを検出する。具体的には、音声多重ストリームＳのビットのビットパターンが、ＮＩＣＡＭ７２８規格で定められた「０１００１１１０」と一致するか否かを判定する。一致すれば１フレーム分のフレーム・アライメント・ワードＦＡＷが検出されたことになり、不一致であれば改めて音声多重ストリームＳからフレーム・アライメント・ワードＦＡＷの検出を行うことになる。
【００２３】
フレーム判定部３３２は、フレーム・アライメント・ワードＦＡＷが検出されたフレームに含まれるフレーム・フラグ・ビットＣ０がＮＩＣＡＭ７２８規格により定められた規則性に従うか否かの判定を行う。規則性に従うのであれば、フレーム判定部３３２はフレーム同期が検出されたと判定する。フレーム同期が検出された後、ＮＩＣＡＭデコーダ３００は、所定のデコード処理（デスクランブル処理、デインタリーブ処理、誤り検出処理、伸長処理、補間処理等）を開始する。尚、フレーム判定部３３２の具体的な構成・動作については後述する。
【００２４】
＜＜＜フレーム判定部３３２の構成＞＞＞
図３を用いて、フレーム判定部３３２の構成について詳述する。  
フレーム判定部３３２は、Ｃ０抽出部３３２１（本発明に係る「交番ビット抽出部」）、Ｃ０履歴情報格納部３３２２、パターン判定部３３２５（本発明に係る「交番ビット判定部」）、メモリ３３２６（本発明に係る「メモリ」）により構成される。
【００２５】
Ｃ０抽出部３３２１は、ＱＰＳＫ復調回路３２０から音声多重ストリームＳが入力され、１フレーム毎に含まれる１ビットのフレーム・フラグ・ビットＣ０を抽出してＣ０履歴情報格納部３３２２に出力する。
【００２６】
Ｃ０履歴情報格納部３３２２は、Ｃ０抽出部３３２１において抽出された連続する９フレーム分のフレーム・フラグ・ビットＣ０の履歴情報を格納する。具体的には、Ｃ０抽出部３３２１より１フレーム毎に抽出されたフレーム・フラグ・ビットＣ０を格納する９ビットシフトレジスタ３３２３（本発明に係る「交番ビット格納部」）と、を有する。
【００２７】
メモリ３３２６は、９フレーム分のフレーム・フラグ・ビットＣ０のビット列として想定される合計１６パターンの情報を格納する。
【００２８】
パターン判定部３３２５は、Ｃ０履歴情報格納部３３２２とメモリ３３２６に対してアクセス可能に接続される。パターン判定部３３２５は、９ビットシフトレジスタ３３２３に格納された９フレーム分のフレーム・フラグ・ビットＣ０が、メモリ３３２６に格納された１６パターンのいずれかに該当するか否かの照合を行う。照合したときには、判定フラグＦをマイコン４００に向けて出力する。
【００２９】
フレーム・フラグ・ビットＣ０は、１６フレームを１周期として、８フレーム毎に“１”から“０”に若しくは“０”から“１”に交番する規則性に従う１ビットである。従って、９ビットシフトレジスタ３３２３に格納される９フレーム分のフレーム・フラグ・ビットＣ０の履歴情報（９ビットのビットパターン）は、正常な音声多重ストリームＳが復調された場合、図３のメモリ３３２６中に示した上記規則性に基づいた計１６パターンのうちいずれか１パターンに照合することになる。
【００３０】
尚、９ビットのフレーム・フラグ・ビットＣ０が成り得る１６パターンを予めメモリ３３２６に格納してそれらと照合する仕組みとすることで、フレーム・フラグ・ビットＣ０のビットの並びを逐次監視する単純な仕組みとする場合と対比して、上記規則性に従うか否かの判定が高速に行われ、ひいては、フレーム同期検出時間の短縮化が図られる。
【００３１】
＜＜＜フレーム判定部３３２の動作＞＞＞
図４に示すフローチャートを用いて、フレーム判定部３３２の動作について詳述する。
【００３２】
Ｃ０抽出部３３２１は、ＱＰＳＫ復調回路３２０から音声多重ストリームＳを受信して、１フレーム毎に含まれる１ビットのフレーム・フラグ・ビットＣ０を抽出する（Ｓ４００）。具体的には、図６（ａ）又は図６（ｂ）に示すように、フレーム・アライメント・ワードＦＡＷのつぎの１ビットがフレーム・フラグ・ビットＣ０となるので、Ｃ０抽出部３３２１はかかる１ビットを抽出する。尚、この抽出されたフレーム・フラグ・ビットＣ０は、Ｃ０履歴情報格納部３３２２の９ビットシフトレジスタ３３２３の最後尾ビットに格納される（Ｓ４０１）。
【００３３】
パターン判定部３３２５は、９ビットシフトレジスタ３３２３の全ビットに９フレーム分に相当する９ビットのフレーム・フラグ・ビットＣ０が格納されているか否かを判定する（Ｓ４０２）。１フレーム分の１ビットのフレーム・フラグ・ビットＣ０のみが格納された状態（Ｓ４０２：ＮＯ）にある場合、Ｃ０抽出部３３２１において２フレーム目のフレーム・フラグ・ビットＣ０の抽出が行われ（Ｓ４００）、９ビットシフトレジスタ３３２３の最後尾ビットに格納される（Ｓ４０１）。尚、１フレーム目のフレーム・フラグ・ビットＣ０は、９ビットシフトレジスタ３３２３の最後尾ビットからつぎのビットにシフトされる。
【００３４】
以上のＳ４００からＳ４０１までの処理は、９ビットシフトレジスタ３３２３の全ビットに９フレーム分に相当する９ビットのフレーム・フラグ・ビットＣ０が格納される（Ｓ４０２：ＹＥＳ）まで繰り返し行われる。
【００３５】
パターン判定部３３２５は、９ビットシフトレジスタ３３２３に９ビットのフレーム・フラグ・ビットＣ０が格納されたとき（Ｓ４０２：ＹＥＳ）、９ビットのフレーム・フラグ・ビットＣ０のビットパターンが、メモリ３３２６に格納された計１６パターンのうちいずれか１パターンに照合するか否かを判定する（Ｓ４０３、Ｓ４０４）。
【００３６】
そこで、計１６パターンのうち照合する１パターンがあれば（Ｓ４０４：ＹＥＳ）、これまでにフレーム・アライメント・ワードＦＡＷが検出された９フレームは、ＮＩＣＡＭ７２８規格に従ったフレームと判定される。これにより、ＮＩＣＡＭデコーダ３００は、フレーム同期が検出されたとして、フレーム同期検出後の所定のデコード処理を開始する。
【００３７】
一方、計１６パターンのうちいずれにも照合しなければ（Ｓ４０４：ＮＯ）、ＮＩＣＡＭデコーダ３００は、フレーム同期が検出できなかったと判定する。そして、ＮＩＣＡＭデコーダ３００は、再び、フレーム・アライメント・ワードＦＡＷが検出された９フレーム分のフレーム・フラグ・ビットＣ０を９ビットシフトレジスタ３３２３に格納し、上記のパターン照合を行う。
【００３８】
以上のように、従来のフレーム同期検出方法では“１６”フレーム分のフレーム・フラグ・ビットＣ０を取得しなければフレーム同期検出が行えなかったのに対し、本発明に係るフレーム同期検出方法では、“９”フレーム分のフレーム・フラグ・ビットＣ０を取得すればフレーム同期検出を行えるようになる。これによって、フレーム同期の検出に要する時間を短縮でき、フレーム同期検出後の所定のデコード処理が開始されるまでの時間を短縮できる。
【００３９】
尚、フレーム判定部３３２は、マイコン４００に対して、フレーム同期が検出されたことを示す判定フラグＦを出力する（Ｓ４０６）。マイコン４００は、フレーム判定部３３２より供給された判定フラグＦによって、フレーム同期が検出されたことを判別し、フレーム判定部３３２の後段のデスクランブル部３３３等に対して処理開始を指示するシーケンス制御を行うことができる。
【００４０】
＜＜＜２回目以降のパターン判定＞＞＞
図４を参照しつつ、図５を用いてフレーム判定部３３２の２回目以降のパターン判定の手法について説明する。図４に示すＳ４０７〜Ｓ４１０のステップでは、２回目以降のパターン判定は１ビットのフレーム・フラグ・ビットＣ０のみで済ませて、フレーム同期検出時間の更なる短縮化を図ることができる。
【００４１】
具体的には、パターン判定部３３２５が、図４に示すＳ４００〜Ｓ４０４のステップと同様に９ビットシフトレジスタ３３２３に格納された９ビットのフレーム・フラグ・ビットＣ０が上記規則性に従うことを１回判定した場合とする。
【００４２】
ＣＯ抽出部３３２１は受信した１０フレーム目の音声多重ストリームＳに含まれるフレーム・フラグ・ビットＣＯを抽出し（Ｓ４０７）、ＣＯ履歴情報格納部３３２２に含まれる９ビットシフトレジスタ３３２３の最後尾ビットに格納する（Ｓ４０８）。
【００４３】
９ビットシフトレジスタ３３２３の最後尾ビットに格納されたフレーム・フラグ・ビットＣＯの値は、９ビットシフトレジスタ３３２３の先頭ビットに格納されたフレーム・フラグ・ビットＣＯを反転した値と一致するか否かを比較する（Ｓ４０９）。９ビットシフトレジスタ３３２３の最後尾ビットの値と先頭ビットを反転した値との比較が一致する場合、２回目のパターン判定は成功したと判定する（Ｓ４１０:ＹＥＳ）。また、比較が一致しない場合は２回目のパターン判定は失敗し、フレーム同期が検出されないと判定して（Ｓ４１０:ＮＯ）、フレーム同期検出動作をやり直す。
【００４４】
２回目以降のパターン判定はＳ４０７〜Ｓ４１０の手法で行われ、９ビットシフトレジスタ３３２３の最後尾ビットの値と先頭ビットを反転した値との比較判定（Ｓ４１０）の後、予め定められた複数回の照合回数を行った否かを判定する（Ｓ４０５）。予め定められた照合回数を行った場合、フレーム同期が検出されたことを示す判定フラグＦを出力する（Ｓ４０６）。
【００４５】
ノイズが混入していない正常なストリームデータであれば、１６フレームを１周期とする周期性に基づいて、９ビットシフトレジスタ３３２３の先頭ビットを反転した値が示す期待値と、最後尾ビットが示す実測値とが一致する。２回目以降のパターン判定は、上記のように２ビットの一致を判定することができ、回路構成の簡素にしつつフレーム同期検出動作の精度を向上させることが可能となる。
【００４６】
以上、本発明の実施形態について説明したが、前述した実施形態は、本発明の理解を容易にするためのものであり、本発明を限定して解釈するためのものではない。本発明は、その趣旨を逸脱することなく、変更／改良され得るとともに、その等価物も含まれるものである。
【００４７】
例えば、音声多重テレビ放送受信装置に本発明に係るフレーム同期検出を適用した場合を説明したが、音声多重ラジオ放送受信装置に本発明に係るフレーム同期検出方法を適用してもよい。また、音声多重テレビ放送受信装置の場合であっても、ＮＩＣＡＭ７２８規格に限られず、フレーム構成中に同期ワード並びに複数フレーム周期で“０”から“１”に若しくは“１”から“０”に交番する交番ビットを有する規格であれば、本発明に係るフレーム同期検出を適用できる。以上のいずれの場合であっても、フレーム同期検出時間の短縮化を図ることができる。
【図面の簡単な説明】
【００４８】
【図１】本発明に係る音声多重テレビ放送受信装置の構成を示した図である。
【図２】本発明に係るＰＣＭデコーダの構成を示した図である。
【図３】本発明に係るフレーム判定部の構成を示した図である。
【図４】本発明に係るフレーム判定部の動作を示すフローチャートである。
【図５】本発明に係るフレーム判定部の動作を示す図である。
【図６】図６（ａ）は、ＮＩＣＡＭ７２８規格のステレオ音声の場合の１フレーム構成を示した図であり、図６（ｂ）は、ＮＩＣＡＭ７２８規格のモノラル音声の場合の１フレーム構成を示した図である。
【符号の説明】
【００４９】
１０  アンテナ                        ２０  チューナ
１００  映像復調ユニット              １１０  ＶＩＦ用表面波フィルタ
１２０  映像検波回路                  １３０  映像信号処理回路
２００  ＦＭ復調ユニット              ２１０  ＳＩＦ用表面波フィルタ
２２０  ＳＩＦ検波回路                ２３０  ＦＭ検波回路
３００  ＮＩＣＡＭデコーダ            ３１０  ＢＰＦ
３２０  ＱＰＳＫ復調回路              ３３０  ＰＣＭデコーダ
３３１  ＦＡＷ検出部                  ３３２  フレーム判定部
３３２１  Ｃ０抽出部                  ３３２２  Ｃ０履歴情報格納部
３３２３  ９ビットシフトレジスタ      ３３２５  パターン判定部
３３２６  メモリ                      ３３３  デスクランブル部
３３４  デインタリーブ部              ３３５  誤り検出部
３３６  伸長部                        ３３７  補間部
３４０  ＤＡＣ                        ４００  マイコン
【図１】
2008283550.tif 000003
【図２】
2008283550.tif 000004
【図３】
2008283550.tif 000005
【図４】
2008283550.tif 000006
【図５】
2008283550.tif 000007
【図６】
2008283550.tif 000008